(57)【要約】【課題】  ゴキブリ等の害虫がネズミ用毒餌を齧ってしまうといった被害を防止させ、駆除対象であるネズミのみに喫食させて効果的なネズミ駆除ができるようにしたネズミ用毒餌及びネズミ用毒餌の設置方法の提供。【解決手段】  害虫忌避剤２０を含有しているネズミ用毒餌１０である。又、害虫忌避剤を含有した害虫忌避体により形成された忌避エリアにネズミ用毒餌を配置させるネズミ用毒餌の設置方法である。【選択図】  図１
2011244699.tif 000002
【特許請求の範囲】
【請求項１】
害虫忌避剤を含有していることを特徴とするネズミ用毒餌。
【請求項２】
害虫忌避剤が表面に塗布されている請求項１記載のネズミ用毒餌。
【請求項３】
害虫忌避剤が混合されている請求項１記載のネズミ用毒餌。
【請求項４】
害虫忌避剤を含有した害虫忌避体により形成された忌避エリアにネズミ用毒餌を配置させることを特徴とするネズミ用毒餌の設置方法。
【請求項５】
前記害虫忌避体が液体又は粉体又は粒体であり、この液体害虫忌避体又は粉体害虫忌避体又は粒体害虫忌避体を散布又は塗布して形成した忌避エリアにネズミ用毒餌を配置させる請求項４記載のネズミ用毒餌の設置方法。
【請求項６】
前記害虫忌避体が紐状又は塊状の固形物であり、この紐状害虫忌避体又は塊状害虫忌避体を連続環状又は非連続環状に配置することで囲まれた忌避エリアにネズミ用毒餌を配置させる請求項４記載のネズミ用毒餌の設置方法。
【請求項７】
前記害虫忌避体がシート状又は板状の固形物であり、このシート状害虫忌避体又は板状害虫忌避体自体を忌避エリアとしてこのシート状害虫忌避体又は板状害虫忌避体の表面にネズミ用毒餌を配置させる請求項４記載のネズミ用毒餌の設置方法。
【請求項８】
前記害虫忌避体がネズミの進入開口部を有する容器に形成され、この害虫忌避容器自体を忌避エリアとしてこの害虫忌避容器内にネズミ用毒餌を配置させる請求項４記載のネズミ用毒餌の設置方法。
【請求項９】
請求項４〜８のいずれかに記載のネズミ用毒餌の設置方法において、前記ネズミ用毒餌が害虫忌避剤を含有させたネズミ用毒餌であるネズミ用毒餌の設置方法。
【発明の詳細な説明】
【技術分野】
【０００１】
本発明は、ネズミを駆除するためのネズミ用毒餌、及びネズミを駆除するためのネズミ用毒餌を設置する方法に関する。
【背景技術】
【０００２】
従来、ネズミなどの駆除方法として、ネズミが好んで喫食する基材に殺鼠剤を混合してネズミ用毒餌を作り、このネズミ用毒餌をネズミの行動範囲と思われる場所に配置させておくネズミ駆除方法が一般的に知られている（特許文献１参照）。
【０００３】
しかしながら、従来のように、ネズミ用毒餌を適宜に配置させただけの駆除方法では、駆除対象であるネズミが喫食する前に、ゴキブリ等の害虫がネズミ用毒餌を齧って（かじって）しまうといった被害を受けてしまう。
【０００４】
この害虫による齧り被害によって折角のネズミ用毒餌が減少したり、ばらばらに散らばったりしてしまい、このため、ネズミに十分な量を摂取させることができず、ネズミの駆除効果が低下してしまうという問題が生じるし、又、新たなネズミ用毒餌を補充する必要が生じるなど、コスト負担や作業負担が増大するという問題があった。
【先行技術文献】
【特許文献】
【０００５】
【特許文献１】特開２００３−２１２７０１号公報
【発明の概要】
【発明が解決しようとする課題】
【０００６】
本発明は、上記のような問題を解決するためになされたもので、ゴキブリ等の害虫がネズミ用毒餌を齧ってしまうといった被害を防止させ、駆除対象であるネズミのみに喫食させて効果的なネズミ駆除ができるようにしたネズミ用毒餌及びネズミ用毒餌の設置方法を提供することを課題としている。
【課題を解決するための手段】
【０００７】
上記の課題を解決するために、本発明の請求項１に係るネズミ用毒餌は、害虫忌避剤を含有している構成とした。
【０００８】
本発明の請求項２に係るネズミ用毒餌は、害虫忌避剤が表面に塗布されている構成とした。
【０００９】
本発明の請求項３に係るネズミ用毒餌は、害虫忌避剤が混合されている構成とした。
【００１０】
本発明の請求項４に係るネズミ用毒餌の設置方法は、害虫忌避剤を含有した害虫忌避体により形成された忌避エリアにネズミ用毒餌を配置させる構成とした。
【００１１】
本発明で言う忌避エリアとは、忌避エリアとなる場所の全面に害虫忌避体(例えば、液体害虫忌避体、粉体害虫忌避体、粒体害虫忌避体、紐状害虫忌避体、塊状害虫忌避体、シート状害虫忌避体、板状害虫忌避体、害虫忌避容器)を配置して形成した領域を言う。
又、忌避エリアとなる場所の周囲を囲むように害虫忌避体(例えば、液体害虫忌避体、粉体害虫忌避体、粒体害虫忌避体、紐状害虫忌避体、塊状害虫忌避体、シート状害虫忌避体、板状害虫忌避体、害虫忌避容器)を配置した場合は、その害虫忌避体の表面及び害虫忌避体により囲まれた内側部分を含む領域を忌避エリアと言う。
【００１２】
本発明の請求項５に係るネズミ用毒餌の設置方法は、前記請求項４記載のネズミ用毒餌の設置方法において、前記害虫忌避体が液体又は粉体又は粒体であり、この液体害虫忌避体又は粉体害虫忌避体又は粒体害虫忌避体を散布又は塗布して形成した忌避エリアにネズミ用毒餌を配置させる構成とした。
尚、液体害虫忌避体としては、忌避エリアを形成させた後も液体状態や湿潤状態や流動体等の状態を維持するものでもよいし、液体を配置（例えば、スプレー塗布等）して忌避エリアを形成させた後は乾燥するものを含むのは勿論である。
【００１３】
本発明の請求項６に係るネズミ用毒餌の設置方法は、前記請求項４記載のネズミ用毒餌の設置方法において、前記害虫忌避体が紐状又は塊状の固形物であり、この紐状害虫忌避体又は塊状害虫忌避体を連続環状又は非連続環状に配置することで囲まれた忌避エリアにネズミ用毒餌を配置させる構成とした。
【００１４】
本発明の請求項７に係るネズミ用毒餌の設置方法は、前記請求項４記載のネズミ用毒餌の設置方法において、前記害虫忌避体がシート状又は板状の固形物であり、このシート状害虫忌避体又は板状害虫忌避体自体を忌避エリアとしてこのシート状害虫忌避体又は板状害虫忌避体の表面にネズミ用毒餌を配置させる構成とした。
【００１５】
本発明の請求項８に係るネズミ用毒餌の設置方法は、前記請求項４記載のネズミ用毒餌の設置方法において、前記害虫忌避体がネズミの進入開口部を有する容器に形成され、この害虫忌避容器自体を忌避エリアとしてこの害虫忌避容器内にネズミ用毒餌を配置させる構成とした。
【００１６】
本発明の請求項９に係るネズミ用毒餌の設置方法は、前記請求項４〜８のいずれかに記載のネズミ用毒餌の設置方法において、前記ネズミ用毒餌が害虫忌避剤を含有させたネズミ用毒餌である構成とした。
【００１７】
本発明（請求項１、２，３）で言う「害虫忌避剤」とは、害虫忌避成分を含んだ物質であり、形態としては液体、粉体、粒体、を問わない。
又、本発明（請求項４、５、６、７、８、９、）で言う「害虫忌避体」とは、忌避エリアを形成させるためのもので、形態としては、液体、粉体、粒体（請求項５）、紐状又は塊状の固形物（請求項６）、シート状又は板状の固形物（請求項７）、進入開口部を有する容器（請求項８）がある。
【００１８】
尚、本発明でいう害虫（忌避対象害虫）とは、ネズミ用毒餌を齧ってしまうような虫類を指し、例えば、ゴキブリ科（クロゴキブリ、ヤマトゴキブリ、ワモンゴキブリ、トビイロゴキブリ、コワモンゴキブリ、イエゴキブリなど）、チャバネゴキブリ科（チャバネゴキブリ、キョウトゴキブリなど）、オオゴキブリ科（オガサワラゴキブリ、ハイイロゴキブリなど）に属するゴキブリ目。
【００１９】
また、カツオブシムシ科（ハラジロカツオブシムシ、トビカツオブシムシ、ヒメマルカツオブシムシ、ヒメカツオブシムシなど）、ゴミムシダマシ科（コクヌストモドキ、ヒラタコクヌストモドキ、チャイロコメノゴミムシダマシなど）、シバンムシ科（ジンサンシバンムシ、タバコシバンムシ、フルホンシバンムシ、クシヒゲシバンムシ、マツザイシバンムシなど）、チャタテムシ目（コチャタテ、ヒラタチャタテ、ウスグロチャタテ、カツブシチャタテ、ソウメンチャタテなど）、オオゾウムシ科（コクゾウムシ、マメゾウムシ、ハナゾウムシなど）に属する貯穀害虫等が挙げられる。
【００２０】
又、本発明による駆除対象となるネズミには、例えば、ドブネズミ、クマネズミ、ハツカネズミ、等のネズミ科に属する小動物とする。
【発明の効果】
【００２１】
本発明（請求項１、２、３）のネズミ用毒餌は、害虫忌避剤を含有している構成に特徴がある。
したがって、その害虫忌避剤によって害虫がネズミ用毒餌に近づくのを忌避させることができる。
これにより、ネズミ用毒餌が害虫によって齧られてしまうといった被害を防止でき、本来の駆除対象であるネズミを効果的に駆除することができる。
【００２２】
本発明（請求項４、５、６、７、８）のネズミ用毒餌の設置方法は、ネズミ用毒餌の周囲に、害虫忌避剤を含有した害虫忌避体により形成された忌避エリアを設ける構成に特徴がある。
従って、その忌避エリアに配置したネズミ用毒餌に近づこうとする害虫がいたとしても、これを忌避させることができる。
これにより、ネズミ用毒餌が害虫によって齧られてしまうといった被害を防止でき、本来の駆除対象であるネズミを効果的に駆除することができる。
【００２３】
又、本発明のネズミ用毒餌の設置方法に使用するネズミ用毒餌として、害虫忌避剤を含有しているネズミ用毒餌を用いると（請求項９）、このネズミ用毒餌による害虫忌避効果と、忌避エリアとの両方の忌避作用で害虫を忌避することができる。
【図面の簡単な説明】
【００２４】
【図１】本発明の請求項１、２に対応したネズミ用毒餌の実施例を示す斜視図である。
【図２】本発明の請求項１、３に対応したネズミ用毒餌の実施例を示す斜視図である。
【図３】本発明の請求項４、５に対応したネズミ用毒餌の設置方法の実施例を示す斜視図である。
【図４】本発明の請求項４、６に対応したネズミ用毒餌の設置方法の実施例を示す斜視図である。
【図５】本発明の請求項４、７に対応したネズミ用毒餌の設置方法の実施例を示す斜視図である。
【図６】本発明の請求項４、８に対応したネズミ用毒餌の設置方法の実施例を示す斜視図である。
【図７】本発明の請求項４に対応したネズミ用毒餌の設置方法の実施例を示す斜視図である。
【発明を実施するための形態】
【００２５】
図１に示すネズミ用毒餌１０は本発明の請求項１、２に対応したもので、団子状に成形した毒餌母体１ａの表面全面に害虫忌避剤２０が塗布されたものになっている。
この場合の塗布方法としては、毒餌母体１ａの表面に害虫忌避剤２０をスプレー塗布したり、刷毛塗り塗布したり、浸漬塗布（どぶ漬け）したりするものを含む。
又、塗布形態としては、毒餌母体１ａの表面に害虫忌避剤２０によるコーティング膜を形成させてもよいし、毒餌母体１ａの表面に害虫忌避剤２０を含浸させてもよい。
又、害虫忌避剤２０を毒餌母体１ａの表面全面に塗布することに限らず、害虫忌避剤２０を毒餌母体１ａの表面に部分的（まばら状）に塗布させてもよい。
【００２６】
図２に示すネズミ用毒餌１１は本発明の請求項１、３に対応したもので、団子状に成形した毒餌母体１ａに害虫忌避剤２０が混合されたものになっている。
この場合の混合方法としては、毒餌母体１ａに害虫忌避剤２０を練り込んだり、混ぜ込んだり、交ぜ込んだりするものを含む。
【００２７】
尚、前記図１、図２で示したネズミ用毒餌１０、１１に使用する害虫忌避剤２０としては、液体害虫忌避体又は粉体害虫忌避体又は粒体害虫忌避体を単独又は組み合わせて使用できる。
【００２８】
前記毒餌母体１ａは、基材もしくはネズミの好む餌に殺鼠剤を混合させたもので、基材もしくはネズミの好む餌としては、例えば、穀類粉（玄米粉、白米粉、小麦粉、トウモロコシ粉、コメ粉、そば粉、大豆粉等）、芋類粉（ジャガイモ粉、サツマイモ粉、あるいはそれらのデンプン粉等）、その他魚の粉類、又、玄米、白米、小麦、大麦、大豆、落花生、トウモロコシ、その他の種子や木の実等の粒類、ジャガイモ、サツマイモ等の芋類、油揚、サツマ揚、ソーセージ、パン、バナナ、リンゴ、などの植物性又は動物性の食料及び飼料が挙げられる。
【００２９】
さらには、喫食性を高めるために糖類や植物油を配合してもよい。好適な植物油としては、コーン油、米ヌカ油、大豆油、オリーブ油、綿実油等が挙げられる。また、好適な糖類としては、ショ糖、ブドウ糖、果糖、乳糖、黒砂糖、赤砂糖、三温糖、白糖等が挙げられる。
【００３０】
殺鼠剤としては、ワルファリン、フマリン、クマテトラリル等のクマリン系化合物や、クロロファシノン、ジファシノン、ピンドン、バロン)等のインダンジオン系化合物や、リン化亜鉛、硫酸タリウム、液化窒素、亜ヒ酸、亜ヒ酸石灰等の無機系化合物等の従来から一般的に知られているものを使用することができる。
【００３１】
ネズミ用毒餌１０、１１の形状は、固形（粉体、粒体、塊体）又は液体であってもよいが、喫食性からすると固形状のものが望ましい。
請求項２（図１）に記載のネズミ用毒餌１０については、毒餌母体１ａの表面に害虫忌避剤２０を塗布するものであるため、液体の毒餌母体１ａには適用できないが、請求項３（図２）に記載のネズミ用毒餌１１については、毒餌母体１ａに害虫忌避剤２０を混合させるものであるため、液体の毒餌母体１ａに適用することは可能である。
【００３２】
次に、図３に示すネズミ用毒餌の設置方法は、本発明の請求項４、５に対応したもので、忌避エリア３０にネズミ用毒餌１（実施例では前記ネズミ用毒餌１０を使用）を配置させたものである。
この場合、ネズミ用毒餌１としては、害虫忌避剤を含有しているネズミ用毒餌又は害虫忌避剤を含有していないネズミ用毒餌を使用できる。
【００３３】
前記忌避エリア３０は、ネズミ用毒餌１の設置場所に所定の範囲で害虫忌避体２（実施例では液体害虫忌避体を使用）をスプレー塗布させたのち乾燥させることで形成されている。
この場合、忌避エリア３０はネズミ用毒餌１を配置する前に形成してもよいし、ネズミ用毒餌１を配置した後に形成させてもよい。
又、害虫忌避体２としては、液体害虫忌避体又は粉体害虫忌避体又は粒体害虫忌避体を使用でき、これを忌避エリア３０となる場所の全面、又は忌避エリア３０となる場所の周囲を囲むように散布又は塗布して忌避エリア３０を形成する。
尚、本実施例のように、忌避エリア３０を形成させるために害虫忌避体２を散布又は塗布させるものについては、害虫忌避体２として害虫忌避剤２０をそのまま使用できるのは勿論である。
【００３４】
次に、図４に示すネズミ用毒餌の設置方法は、本発明の請求項４、６に対応したもので、害虫忌避体２が紐状固形物であり、この紐状害虫忌避体２ａを連続環状に配置することで囲まれた忌避エリア３０にネズミ用毒餌１（実施例では前記ネズミ用毒餌１１を使用）を配置させている。
この場合、紐状害虫忌避体２ａの表面３０ａ、及び紐状害虫忌避体２ａで囲まれた内側部分３０ｂが忌避エリア３０となる。
【００３５】
尚、害虫忌避体２として塊状（例えば、豆状）に形成した塊状害虫忌避体を用い、この塊状害虫忌避体を隣同士が接触するように並べて連続環状で囲まれた忌避エリアに形成してもよいし、隣同士に隙間が生じるように並べて非連続環状で囲まれた忌避エリアに形成してもよい。
この場合のネズミ用毒餌の設置方法についても、忌避エリア３０はネズミ用毒餌１を配置する前に形成してもよいし、配置した後に形成させてもよい。
【００３６】
次に、図５に示すネズミ用毒餌の設置方法は、本発明の請求項４、７に対応したもので、害虫忌避体２がシート状の固形物であり、このシート状害虫忌避体２ｂ自体を忌避エリア３０としてこのシート状害虫忌避体２ｂの表面にネズミ用毒餌１（実施例では害虫忌避剤を含有していないネズミ用毒餌１２を使用）を配置させている。
この場合、害虫忌避体２として板状に形成した板状害虫忌避体を用い、その表面にネズミ用毒餌を配置させてもよい。
【００３７】
次に、図６に示すネズミ用毒餌の設置方法は、本発明の請求項４、８に対応したもので、害虫忌避体２がネズミの進入開口部２２を有する容器２ｃに形成され、この害虫忌避容器２ｃ自体を忌避エリア３０としてこの害虫忌避容器２ｃ内にネズミ用毒餌１（実施例では害虫忌避剤を含有していないネズミ用毒餌１２を使用）を配置させている。
【００３８】
実施例の害虫忌避容器２ｃは、上面がネズミの進入開口部２２として開口したトレイ部材２３を台座２４の上に設置した構造に形成されているが、これに限られるものではなく、例えば、ボックス体の１箇所又は複数箇所にネズミの進入開口部を形成した構造に形成してもよい。
【００３９】
次に、図７に示すネズミ用毒餌の設置方法は、本発明の請求項４に対応したもので、害虫忌避体２としてドーナツ状に形成したシート状害虫忌避体２ｄを用い、その内側部分３０ｂにネズミ用毒餌１（実施例では前記ネズミ用毒餌１０を使用）を配置させた例である。
この場合、シート状害虫忌避体２ｄの表面３０ａ及びこのシート状害虫忌避体２ｄによって囲まれた内側部分３０ｂを含む領域が忌避エリア３０となる。
尚、害虫忌避体としては、シート状害虫忌避体に限らず、液体害虫忌避体、粉体害虫忌避体、粒体害虫忌避体、紐状害虫忌避体、塊状害虫忌避体、板状害虫忌避体、害虫忌避容器を使用できる。
【００４０】
本発明で使用できる害虫忌避剤としては、例えば、忌避効果を有するピレストロイド系の殺虫剤（アレスリン、ｄｌ・ｄ−Ｔ８０−アレスリン、ｄｌ・ｄ−Ｔ−アレスリン，ｄｌ・ｄ−Ｔ−アレスリン、ｄ・ｄ−Ｔ−アレスリン、ｄ・ｄ−Ｔ８０−プラレトリン、ｄ・ｄ−Ｔ９８−プラレトリン，フタルスリン、ｄ−Ｔ８０−フタルスリン、レスメトリン、ｄ−Ｔ８０−レスメトリン、フラメトリン、ｄ−Ｔ８０−フラメトリン、ペルメトリン、フェノトリン、フェンバレレート、シペルメトリン、シフェノトリン、エンペントリン、テラレスリン、イミプロトリン、エトフェンプロックス、トラロメスリン，トランスフルトリン、メトフルトリン、ピレトリン、除虫菊粉末）などを挙げることができる。
【００４１】
その他、忌避効果を有する天然成分｛Ｎ，Ｎ−ジエチル−ｍ−トルアミド（ＤＥＴ）、ジメチルフタレート、ジブチルフタレート、２−エチル−１，３−ヘキサンジオール、ジ−ｎ−プロピルイソシンコメロネート、ｐ−ジクロロベンゼン、ジ−ｎ−ブチルサクシネート、カラン−３，４−ジオール、１−メチルプロピル２−（２−ヒドロキシエチル）−１−ピペリジンカルボキシラート、カプリン酸ジエチルアミド、Ｎ−プロピルアセトアニリド、β−ナフトール、カンファー｝などを使用できる。
【００４２】
ただし、天然成分のうち、シトロネラオイル、タイムオイル、ペパーミントオイル、ラベンダーオイル、コリアンダーオイル、シダーウッドオイル、フエンネルオイル、カモミールオイル、シナモンオイル、ピメントオイル、ゼラニウムオイル、クミンオイル、ハッカオイル、クローブオイル、ヒバオイル、レモングラスオイル、などの天然精油は、ネズミも忌避するので使用できない。
【００４３】
本発明に用いられる害虫忌避剤を含有する害虫忌避体２の作成に当たって、害虫忌避剤を保持する基材として好適に用いられる材料としては、種々のものを用いることができるが、熱可塑性樹脂、エラストマー、熱可塑性エラストマー、熱硬化性樹脂等を挙げることができる。
【００４４】
熱可塑性樹脂としては、例えば、ポリエチレン、ポリプロピレン等のポリオレフィン、エチレン−酢酸ビニル共重合体、エチレン−メタクリル酸メチル共重合体等のエチレン性不飽和結合を有する有機カルボン酸誘導体とエチレンとの共重合体、ポリビニルアルコール、ポリ酢酸ビニル、ポリカーボネート、ポリエステル、ポリアミド、ポリスチレン、ポリメタクリル酸メチル、アクリロニトリル−ブタジエン−スチレン共重合体、ポリ塩化ビニル、塩化ビニル−酢酸ビニル共重合体、塩化ビニル−エチレン共重合体、エチレン−酢酸ビニル共重合体への塩化ビニルグラフト共重合体の様な塩化ビニル系の共重合体等が挙げられる。
【００４５】
エラストマーとしては、天然ゴム、イソプレンゴム、ブチルゴム、ブタジエンゴム、スチレン−ブタジエンゴム、エチレン−プロピレンゴム、ニトリルゴム、シリコンゴム、アクリルゴム、フッ素ゴム等が挙げられる。
【００４６】
熱可塑性エラストマーとしては、スチレン系、水添スチレン系、オレフィン系、特殊ポリオレフィン系、ウレタン系、エステル系、ポリアミド系、塩化ビニル系、塩化ビニル／ニトリルゴム系、塩化ビニル／ウレタン系等が挙げられ、熱硬化性樹脂としては、尿素樹脂、フェノール樹脂、ユリア樹脂、不飽和ポリエステル樹脂、ポリウレタン、エポキシ樹脂等が挙げられる。
【００４７】
本発明のネズミ用毒餌の設置方法に使用する害虫忌避剤を含有する害虫忌避体の成形方法としては、例えば、基材中に害虫忌避剤を通常の混練装置を用いて混練した後、粉体や粒体や塊体に形成してもよいし、基材を所定の形状（シート状、紐状、容器等）に成形したのち、その表面に害虫忌避剤を塗布させてもよい。
又、射出成型、押出成型、プレス成型等で紐状、シート状、板状、フィルム状、テープ状、網状、容器等に加工することができるし、必要により更に成型、裁断等の工程を経ることは任意である。
さらに、ナイロン樹脂とピレスロイド系化合物とが混合された株式会社ニックス社製のＡＲＩＮＩＸ（商標）など市販品を加工して使用してもよい。
尚、シート、紐、板、容器等の材質は、紙でも樹脂でも布でも何でもよいが、水にぬれやすい場所へ設置する場合は形状が変わりにくい樹脂が望ましい。
【００４８】
又、忌避エリアは、ネズミ用毒餌の周囲に１５ｍｍ幅程度のエリアを生じさせるように連続的もしくは非連続的に害虫忌避体を存在させるのが望ましい。そうすれば、忌避対象となる害虫のうち、体長の最も大きいクロゴキブリ（体長３０ｍｍ前後）の体半分は、害虫忌避体に接触するため、十分な忌避効果が得られるし、材料コストも抑えられる。
ただし、忌避エリアは前記１５ｍｍ幅程度に限られるものではなく、１５ｍｍ幅以上であっても十分、忌避効果は得られるもので、施工手間やコストを考慮して５０ｍｍ程度までが通常と思われる。
【００４９】
以下に、本発明のネズミ用毒餌の効果を確認するための実験例を挙げる。
【００５０】
＜実験１＞
実験名：ピレスロイド系殺虫剤を処理した殺鼠剤のゴキブリ食害抑制実験
１）目的
ピレスロイド系殺虫剤を固形タイプの殺鼠剤表面に処理し、ゴキブリの食害状況を確認した。
２）実験方法
（１）材料      殺鼠剤：ネズコロンＳ（商標）、固形防水型（有効剤ワルファリン０．１％）
殺虫剤：エヤローチＡ（商標）、スプレー剤（有効剤ペルメトリン１％以下）
（２）供試昆虫  クロゴキブリ：住化テクノサービス系（1容器に１０匹使用）
（３）実験方法  
イ）殺鼠剤５ｇの表面に殺虫剤を約１ｍｌ噴霧し室内にて１日間風乾。
ロ） 供試昆虫を容器（２０×２７×３０ｃｍ）に１０匹収容し1日間馴らした。なお、逃亡防止のため、内壁にワセリンを塗布した。
ハ) 隠れ場所として１０ｃｍ角のベニヤ板３枚を１ｃｍ間隔で張り合わせたシェルターを実験容器の中央に設置した。
ニ）シャーレに脱脂綿に浸した水を入れて、容器内に配置した。
ホ）殺虫剤を処理した殺鼠剤を容器内に配置した。
ヘ）1週間毎に殺虫剤処理した殺鼠剤の喫食状況を確認した。
ト）対照として無処理殺鼠剤も容器内に併置した。
チ）試験は５回反復した。
３）実験結果    殺鼠剤の食害状況を表１に示す。
個別データを表２に示す。
４）考察
・ピレスロイド系殺虫剤を処理した殺鼠剤はゴキブリに齧られなかった。
・無処理の殺鼠剤はゴキブリに極端に齧られ、４週間目で全て食害された。
・ピレスロイド系殺虫剤処理した殺鼠剤はゴキブリの食害を抑制することを確認できた。
【００５１】
【表１】
2011244699.tif 000003
【００５２】
【表２】
2011244699.tif 000004
【００５３】
＜実験２＞
実験名：ピレスロイド系殺虫剤を処理した殺鼠剤のネズミ喫食性
１）目的
ピレスロイド系殺虫剤を固形タイプの殺鼠剤表面に処理し、喫食性が低下しないか確認した。
２）実験方法
（１）材料      殺鼠剤：ネズコロンＳ（商標）、固形防水型（有効剤ワルファリン０．１％）
殺虫剤：エヤローチＡ（商標）、スプレータイプ（有効剤ペルメトリン１％以下）
（２）供試動物  ラット：ウイスター系の雄、成獣（１ゲージに１匹収容、計３匹使用）
（３）実験方法  
イ）殺鼠剤１５ｇ表面に殺虫剤を約１ｍｌ噴霧し室内にて1日間風乾。
ロ）供試動物をゲージ（４０×２２×１８ｃｍ）に１匹収容し1日間馴らした。
ハ）殺虫剤を処理した殺鼠剤をゲージ内に配置した。
ニ）１１日間、殺虫剤処理した殺鼠剤を与え、喫食性を確認した。
ホ）実験期間中は、十分な餌（固形飼料ＣＥ−２）と水を与えた。
ヘ）試験は３回反復した。
３）実験結果    殺虫剤処理した殺鼠剤の喫食性および生存状況を表３に示す。
４）考察
・ピレスロイド系殺虫剤を処理した殺鼠剤を全てのラットでかなり齧っていた。
・生存状況ではラットＡは生存、ラットＢおよびＣは死亡した。
・ピレスロイド系殺虫剤を処理した殺鼠剤はネズミに対して喫食性を低下させることなく、十分な毒性があることを確認できた。
【００５４】
【表３】
2011244699.tif 000005
【００５５】
＜実験３＞
実験名：ピレスロイド系殺虫剤配合プラスチックケースによるゴキブリ食害抑制実験
１）目的
ピレスロイド系殺虫剤配合プラスチックケースに殺鼠剤を配置し、ゴキブリ食害状況を確認した。
２）実験方法
（１）材料      殺鼠剤：ネズコロンＳ（商標）、固形防水型（有効剤ワルファリン０．１％）
容器：ピレスロイド系殺虫剤配合プラスチック（商標：アリニックス：ニックス社製品）
（２）供試昆虫  クロゴキブリ：住化テクノサービス系（１容器に１０匹使用）
（３）実験方法  
イ）アリニックスを図６に示すようなケース状に加工し作成した。
ロ）対照として同サイズのベニヤ板製ケースも作成した。
ハ）供試昆虫を容器（２０×２７×３０cm）に１０匹収容し1日間馴らした。なお、逃亡防止のため、内壁にワセリンを塗布した。
ニ) 隠れ場所として１０ｃｍ角のベニヤ板３枚を１ｃｍ間隔で張り合わせたシェルターを実験容器の中央に設置した。
ホ）シャーレに脱脂綿に浸した水を入れて、容器内に配置した。
ヘ）両ケース内に殺鼠剤５ｇを配置し容器内に併置した。
ト）１週間毎に４週間目まで殺鼠剤の食害状況を確認した。
（４）検体名    アリニックスケース（殺虫剤配合品）
ベニヤ板ケース（殺虫剤無配合品）
３）実験結果    食害量を表４に、食害率を表５に示す。
４）考察
・ベニヤ板ケースは1週間目で２６％の食害率を示し、３週間目では半分量かじられるほど、食害が急速に進んでいた。
・一方、アリニックスケースは少しかじられる状況であった。４週間目では２０％の食害率を示した。
・ベニヤ板ケースと比較してみると、アリニックスケースはピレスロイド系殺虫剤を配合していることから、ゴキブリが寄り難くなり、殺鼠剤の食害を抑制していたことを確認できた。
【００５６】
【表４】
2011244699.tif 000006
【００５７】
【表５】
2011244699.tif 000007
【符号の説明】
【００５８】
１  ネズミ用毒餌
１０  ネズミ用毒餌（害虫忌避剤を含有したネズミ用毒餌）
１１  ネズミ用毒餌（害虫忌避剤を含有したネズミ用毒餌）
１２  ネズミ用毒餌（害虫忌避剤を含有していないネズミ用毒餌）
１ａ  毒餌母体
２  害虫忌避体
２ａ  紐状害虫忌避体
２ｂ  シート状害虫忌避体
２ｃ  害虫忌避容器
２０  害虫忌避剤
２２  進入開口部
２３  トレイ部材
２４  台座
３０  忌避エリア
【図１】
2011244699.tif 000008
【図２】
2011244699.tif 000009
【図３】
2011244699.tif 000010
【図４】
2011244699.tif 000011
【図５】
2011244699.tif 000012
【図６】
2011244699.tif 000013
【図７】
2011244699.tif 000014